(57)【要約】【課題】  原稿載置台をディスプレイパネルとし、撮影する原稿の諸条件を入力することにより、原稿の載置位置とサイズを表示して操作性を高めた画像処理システムを提供する。【解決手段】  この画像処理システム１００は、原稿画像を撮影する撮像装置１と、図示しない原稿を載置すると共に撮影のための操作内容を表示するディスプレイパネル１８を備えた原稿載置台３と、操作情報を入力する操作部４と、本体筐体部１７と、を備えて構成される。尚、図示は省略するが、本体筐体部１７内には撮像装置１、原稿載置台３及び操作部４を制御する制御部１６が備えられている。【選択図】  図１
2007067966.tif 000002
【特許請求の範囲】
【請求項１】
原稿画像を撮影する撮像装置を備えた画像処理システムであって、
原稿を載置すると共に撮影のための操作内容を表示するディスプレイパネルを備えた原稿載置台と、操作情報を入力する操作部と、前記撮像装置、原稿載置台及び操作部を制御する制御部と、を備えたことを特徴とする画像処理システム。
【請求項２】
前記制御部は、前記操作部により前記原稿のサイズ情報が入力されると、当該原稿を載置する位置を枠情報として表示するように前記ディスプレイパネルを制御することを特徴とする請求項１に記載の画像処理システム。
【請求項３】
前記制御部は、前記操作部により前記原稿の変倍率が入力されると、前記枠情報が前記変倍率に応じて変化するように前記ディスプレイパネルを制御することを特徴とする請求項１又は２に記載の画像処理システム。
【請求項４】
前記制御部は、前記原稿載置台に原稿を載置したことを検出する自動認識手段を更に備え、該自動認識手段が原稿を載置したことを検出すると、当該原稿が載置された位置を枠情報として表示するように前記ディスプレイパネルを制御することを特徴とする請求項１、２又は３に記載の画像処理システム。
【請求項５】
前記制御部は、撮影時に前記ディスプレイパネルを発光させるように制御することを特徴とする請求項１乃至４の何れか一項に記載の画像処理システム。
【請求項６】
前記制御部は、撮影時に前記原稿の周縁部を照射するように前記ディスプレイパネルを制御することを特徴とする請求項１乃至４の何れか一項に記載の画像処理システム。
【請求項７】
前記制御部は、予め蓄積されている原稿画像の一部に差込画像を合成する差込合成モードを更に備え、該差込合成モードが前記操作部により設定されると、前記差込画像を差し込む原稿画像を表示するように前記ディスプレイパネルを制御することを特徴とする請求項１乃至６の何れか一項に記載の画像処理システム。
【請求項８】
前記制御部は、撮影後、当該撮影した画像を所定の時間に亘って表示するように前記ディスプレイパネルを制御することを特徴とする請求項１乃至７の何れか一項に記載の画像処理システム。
【請求項９】
前記制御部は、前記ディスプレイパネル上に感圧パネルを一体構成にして備え、前記ディスプレイパネル上に表示された原稿画像の所定の箇所を押圧することにより、前記原稿画像のエリアを指定すると共に、当該指定エリアを表示するように前記ディスプレイパネルを制御することを特徴とする請求項１乃至８の何れか一項に記載の画像処理システム。
【発明の詳細な説明】
【技術分野】
【０００１】
本発明は、画像処理システムに関し、さらに詳しくは、原稿画像を撮影する撮像装置を備えた画像処理システムに関するものである。
【背景技術】
【０００２】
ドキュメントの高精細な複写を得るために、以前はスキャナを用いるのが常識であった。スキャナの多くは、ＣＣＤアレイを用いたいわゆるフラットベッド型のスキャナのことである。フラットベッド型のスキャナでは、ＣＣＤアレイを１方向に物理的に移動させること（以下、スキャニング動作と呼ぶ）で画像を得るものである。ここでは、多くのコピー機がそうであるように、ドキュメントは裏表を逆にして、原稿台（コンタクトガラスとも呼ばれる）に、セットしなければならない。
しかし、近年、ＣＣＤデバイス、および情報処理技術の発達によって、ディジタルカメラを用いて、ドキュメントの高精細な複写を得ることが出来るようになってきた。具体的には、スキャニング動作を行なわない。つまりスキャナ装置を用いずに、ドキュメントを真上方向からディジタルカメラで撮像し、画像を得るものである。形態としては、既存のドキュメントカメラ（または、書画カメラとも呼ばれる）と類似したシステムであるが、既存のドキュメントカメラは、プレゼンテーション目的のために画面上へ画像を投射することを主目的としている点が異なる。ディジタルカメラを用いて、ドキュメントの高精細な複写を得る場合には、フラットベッド型のスキャナで画像を得る場合に対して、下記のようなメリットがある。即ち、
１）基本的に１回の露光で全領域の画像を得るので、動作が圧倒的に速い。
２）ドキュメントの裏表反転セットが不要であり、直感的で操作性にも優れる。
３）コンタクトガラスに原稿を圧着させる必要がないので、書籍原稿を傷めない。
４）コンタクトガラスに原稿を圧着させる必要がないので、立体物の複写が可能である。
しかしながら、下記のような欠点も存在する。即ち、
１）原稿における、有効コピー領域の確認がしづらい。
２）原稿と照明間に一定の距離が存在するため、得られた画像に影を生じ易い。
このような課題に対しては特許文献１には、印刷用紙サイズと変倍率を基にした印刷可能領域を、スキャナの原稿載置台に配置したＬＥＤにより表示する技術が開示されている。
また特許文献２には、ＯＨＰ装置の原稿台に置かれた原稿の透過光をカメラで読み取る際に、カメラで読み取る範囲を発光素子等で表示する技術が開示されている。
また特許文献３には、フラットベッドスキャナにおける原稿認識の精度向上のために、原稿圧板の白色度を可変構成する技術が開示されている。
【特許文献１】特開２０００−３５８１３１公報
【特許文献２】特開平０９−１６１０４４号公報
【特許文献３】特開平１１−２０５５４７号公報
【発明の開示】
【発明が解決しようとする課題】
【０００３】
しかしながら、特許文献１に開示されている従来技術は、原稿載置台の周囲に多数のＬＥＤを配置して、Ｘ、Ｙ方向の点灯したＬＥＤから印刷用紙サイズと変倍率を指示するため、多数のＬＥＤが必要になりコストが高くなると共に、サイズ認識がしづらいといった問題がある。
また特許文献２に開示されている従来技術は、発光素子からの光のスポットに原稿の一端を合わせるため、原稿が曲がった場合は投影された画像を見ながら修正しなければならず、操作が煩わしいといった問題がある。
また特許文献３に開示されている従来技術は、原稿圧板の白色度を可変にして原稿サイズを検出するので、操作に時間を要して操作性が悪いといった問題がある。
本発明は、かかる課題に鑑み、原稿載置台をディスプレイパネルとし、撮影する原稿の諸条件を入力することにより、原稿の載置位置とサイズを表示して操作性を高めた画像処理システムを提供することを目的とする。
【課題を解決するための手段】
【０００４】
本発明はかかる課題を解決するために、請求項１は、原稿画像を撮影する撮像装置を備えた画像処理システムであって、原稿を載置すると共に撮影のための操作内容を表示するディスプレイパネルを備えた原稿載置台と、操作情報を入力する操作部と、前記撮像装置、原稿載置台及び操作部を制御する制御部と、を備えたことを特徴とする。
本発明の画像処理システムは、原稿載置台に撮影のための操作内容を表示するディスプレイパネルを備えた点が特徴である。従って、操作者はこのディスプレイパネルを見ながら操作を行うことができる。
請求項２は、前記制御部は、前記操作部により前記原稿のサイズ情報が入力されると、当該原稿を載置する位置を枠情報として表示するように前記ディスプレイパネルを制御することを特徴とする。
原稿の撮影を正確に行なうためには、原稿を原稿載置台に正しくおくことが必要である。そこで本発明では、原稿のサイズ情報が入力されると、原稿を載置する位置を枠情報として表示するようするものである。
請求項３は、前記制御部は、前記操作部により前記原稿の変倍率が入力されると、前記枠情報が前記変倍率に応じて変化するように前記ディスプレイパネルを制御することを特徴とする。
また撮影する原稿が撮影画面に対して１対１であるとは限らない。例えば、撮影画面より小さい場合は、その画像を拡大して撮影する必要がある。そのために操作部から変倍率が入力されると、その変倍率に応じて枠情報を変化させる。
請求項４は、前記制御部は、前記原稿載置台に原稿を載置したことを検出する自動認識手段を更に備え、該自動認識手段が原稿を載置したことを検出すると、当該原稿が載置された位置を枠情報として表示するように前記ディスプレイパネルを制御することを特徴とする。
枠情報が表示されてその枠に原稿をセットするマニュアルモードと、原稿を適当な位置にセットして自動的に正しい画像として撮影する自動モードがある。この自動モードのときは、原稿を原稿載置台に載置したことを検出する機能が必要となる。
請求項５は、前記制御部は、撮影時に前記ディスプレイパネルを発光させるように制御することを特徴とする。
原稿を撮影する場合、原稿の周縁部は暗くなって枠が撮影されてしまう。そこで本発明では、ディスプレイパネルを発光させて原稿の周縁部を明るくするものである。
【０００５】
請求項６は、前記制御部は、撮影時に前記原稿の周縁部を照射するように前記ディスプレイパネルを制御することを特徴とする。
ディスプレイパネルを発光させて原稿の周縁部を明るくすると、例えば、原稿の表裏に情報が印刷されている場合、裏の情報が表面に出る裏映り現象が発生する。これを防止するために、原稿の周縁部のみを照射するようにディスプレイパネルを発光させるものである。
請求項７は、前記制御部は、予め蓄積されている原稿画像の一部に差込画像を合成する差込合成モードを更に備え、該差込合成モードが前記操作部により設定されると、前記差込画像を差し込む原稿画像を表示するように前記ディスプレイパネルを制御することを特徴とする。
所定の原稿画像に別の画像データを差し込む場合、差し込まれる原稿画像をディスプレイパネルに表示させる必要がある。そこで本発明では、差込合成モードが設定されると、予め記憶している原稿画像をディスプレイパネルに表示させるものである。
請求項８は、前記制御部は、撮影後、当該撮影した画像を所定の時間に亘って表示するように前記ディスプレイパネルを制御することを特徴とする。
原稿を撮影した場合、その撮影画像を確認するため表示を即座に消さないで、一定時間表示させておく。それにより、操作者が画像を確認することができる。
請求項９は、前記制御部は、前記ディスプレイパネル上に感圧パネルを一体構成にして備え、前記ディスプレイパネル上に表示された原稿画像の所定の箇所を押圧することにより、前記原稿画像のエリアを指定すると共に、当該指定エリアを表示するように前記ディスプレイパネルを制御することを特徴とする。
撮影する原稿の全ての部分を必要とするとは限らない場合がある。即ち、所定のエリアのみ必要な場合がある。そのような場合、タッチパネル形式でエリアを指定できれば便利である。そこで本発明では、ディスプレイパネル上に感圧パネルを一体構成にして、エリアを指定することにより、その部分を表示するものである。
【発明の効果】
【０００６】
請求項１の発明によれば、原稿載置台に撮影のための操作内容を表示するディスプレイパネルを備えたので、操作性を向上させることができる。
また請求項２では、原稿のサイズ情報が入力されると、原稿を載置する位置を枠情報として表示するので、原稿の置く位置が明確になり、撮影を正確に行うことができる。
また請求項３では、操作部から変倍率が入力されると、その変倍率に応じて枠情報を変化させるので、変倍率が変化した場合でも、正確に原稿を載置することができる。
また請求項４では、自動認識手段が原稿を載置したことを検出すると、当該原稿が載置された位置を枠情報として表示するので、操作者は原稿を置く位置を気にすることなく操作ができ、更に操作性を高めることができる。
また請求項５では、撮影時にディスプレイパネルを発光させるので、原稿の周縁部を明るくすることができ、原稿の枠を消去することができる。
また請求項６では、撮影時に原稿の周縁部を照射するので、両面印刷の原稿の場合でも、裏映りを防止することができる。
また請求項７では、差込合成モードが設定されると、予め記憶している原稿画像をディスプレイパネルに表示させるので、差し込む原稿の位置を正確に確認することができる。
また請求項８では、撮影後、当該撮影した画像を所定の時間に亘って表示するので、操作者は撮影した画像を確認することができる。
また請求項９では、ディスプレイパネル上に感圧パネルを一体構成にして、エリアを指定することにより、その部分を表示するので、エリア指定が正確に行なわれ、且つ指定したエリアを確認することができる。
【発明を実施するための最良の形態】
【０００７】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の一実施形態に係る画像処理システムの外観斜視図である。この画像処理システム１００は、原稿画像を撮影する撮像装置１と、図示しない原稿を載置すると共に撮影のための操作内容を表示するディスプレイパネル１８を備えた原稿載置台３と、操作情報を入力する操作部４と、本体筐体部１７と、を備えて構成される。尚、図示は省略するが、本体筐体部１７内には撮像装置１、原稿載置台３及び操作部４を制御する制御部１６が備えられている。また撮像装置１は本実施形態ではデジタルカメラであり（以下、単にカメラと呼ぶ）、直下の画像を撮影できるようになっている。また図１に示すように、カメラ１は本体筐体部１７に対してステイ２により固定されていて、一般の照明器具のように自在に位置を動かすことはできない。またカメラ１の直下には、ディスプレイパネル１８が配置されていて、ディスプレイパネル１８が原稿載置台３を兼ねる構成となっている。操作部４は、通常の画像形成装置と同様に、テンキー、コピーボタン、キャプチャボタン、ストップボタン等の入力ボタン群４ｂと、タッチパネル４ａで構成されている。
【０００８】
図２は本発明の画像処理システムの構成を示すブロック図である。図２に示す図中の点線枠原稿５、プリント物６、Ｎ／Ｗ７は、装置の外にあることを意味している。同じ構成要素には図１と同じ参照番号を付して説明する。この画像処理システム１００は、原稿画像を撮影する撮像装置１と、図示しない原稿を載置すると共に撮影のための操作内容を表示するディスプレイパネル１８と、操作情報を入力する操作部４と、制御部１６により構成される。特に制御部１６は、情報処理や全体の動作の制御を行う情報処理部（ＣＰＵなど）１４と、システムＯＳ、プリントプロセスに必要な各種制御プログラム、システムの初期設定値など納めたＲＯＭや、ワークメモリー用のＲＡＭ、ＨＤＤなどで構成される情報記憶部１５と、ネットワークとのインターフェイスであるＮＩＣ（Network Interface Card)１１と、プリント要求に応じてデータを印刷するプリントエンジン１０と、記録紙の給紙と排紙を司る給・排紙部９と、プリントエンジン１０と給・排紙部９を制御するエンジンコントローラ１２と、操作部４、ディスプレイ３ａ及び撮像装置１を制御するＩ／Ｏコントローラ８と、内部バス１３と、を備えて構成されている。
撮像装置１としてカメラを考えた場合、カメラには、撮影補助のための照明手段、変倍撮影を実現するためのズーム機構などが一体構成されている。ディスプレイパネル１８は、ユーザーに提示するガイダンス表示用途および原稿位置マーカーの表示用途のみならず、撮影時に発光することで補助照明手段として、また撮影した画像の確認手段として機能する。さらにユーザーからの指示を入力する装置として操作部４がある。操作部４は、通常の画像形成装置と同様に、テンキー、コピーボタン、キャプチャボタン、ストップボタン等の入力ボタン群４ｂと、タッチパネル４ａで構成されている。タッチパネル４ａ上には、給紙トレイの指定、変倍率、濃度、の指定などをタッチパネル４ａ上に実装した仮想的なボタンで指示するように構成されている（図示せず）。またマーカーの表示位置と表示サイズは情報記憶部１５に記憶されていて、操作部４の指定に従って、情報処理部１４が参照できるように構成されている。
【０００９】
ここで本実施形態の情報処理システム１００の概略動作について説明する。ユーザーがコピーボタンを押した場合には、情報処理部１４からカメラ１に対して画像取り込みの指示を行う。カメラ１ではフォーカス制御などを行った後、画像データを取り込み、画像データを情報処理部１４に返す。情報処理部１４は、カメラ１より取得した画像を処理し、ユーザーへの確認用のためにディスプレイパネル１８にキャプチャ画像を表示すると共に、情報記憶部１４にいったん蓄積する。この際の画像フォーマットは、設計者が自由に決定して良いし、あるいは、複数のフォーマットを用意しておき、ユーザーに操作部４から好みの画像フォーマットを選ばせても良い。このようにして、内部に蓄積した後は、通常のディジタル画像のプリントと同じプロセスにて、印刷用のデータを生成し、エンジンコントローラ１２にデータを渡す。ディスプレイパネル１８部に表示したキャプチャ画像は、一定時間の経過などで、画面上から自動消去する。
ユーザーがコピーボタンの代わりに、キャプチャボタンを押した場合には、前記の画像の取り込みから蓄積動作までを行い、プリント動作を行わない。この場合、ユーザーは、各自のＰＣから画像処理システム１００にＮ／Ｗ７経由でアクセスし、蓄積した取り込み画像を各自のＰＣへ転送する。
【００１０】
図３は用紙指定モードにおける画像処理の流れを示すフローチャートである。最初に、操作部経由で出力用紙のサイズを指定する（Ｓ１）。一例として、Ａ４タテ、１００％を指定した場合のディスプレイの様子を図４（ａ）に示す（以下の図面上で、二重線の枠は、ディスプレイ内の表示の様子を示すものである）。図４（ａ）に示すように、“Ａ４タテ、１００％”のキャプション３ｃと、有効撮影エリア内を示す用紙マーカー３ａと、ガイダンス文３ｂがシステムからユーザーに表示される（Ｓ２）。ユーザーは、表示されている用紙マーカー３ａ内に原稿をセットし（図４（ｂ）参照）（Ｓ３）、キャプチャボタン、またはプリントボタンを押すと、ディスプレイ上の表示をいったん消去し（Ｓ４）、原稿画像をカメラ１経由で撮影し、画像処理システム内に取り込む（Ｓ５）。そして画像を情報記憶部１５にストアする（Ｓ６）。ここでその画像をプリントしないのであれば終了するが（Ｓ７でＮＯのルート）、プリントする場合は画像をエンジンコントローラ１２へ送り（Ｓ８）、プリントエンジン１０により印刷してプリント出力する（Ｓ９）。
図４はディスプレイパネルの様子を示す図である。一例として、Ａ４タテ、１００％を指定した場合のディスプレイパネル１８の様子を図４（ａ）に示す（以下の図面上で、二重線の枠は、ディスプレイパネル１８内の表示の様子を示すものである）。図４（ａ）に示すように、“Ａ４タテ、１００％”のキャプション３ｃと、有効撮影エリア内を示す用紙マーカー３ａと、ガイダンス文３ｂがシステムからユーザーに表示される。ユーザーは、表示されている用紙マーカー３ａ内に原稿５をセットして撮影する（図４（ｂ）参照）。図４（ｃ）はディスプレイパネル１８上の同じ位置に原稿画像５ａが表示される。
【００１１】
図５は変倍モードのときのディスプレイパネルの様子を示す図である。図５は原稿を１４４％にて拡大撮影しようとしている様子を示す。図４と比較すれば明らかなように、図５は拡大撮影であるので、原稿台上のマーカー３ａのサイズが、相対的に小さくなっていることがわかる。ディスプレイパネル１８が原稿台を兼ねるので、このように変倍撮影時でも、有効エリアの確認が容易にできる。
図６は、ディスプレイパネル１８を横側から見た断面図である（原稿５とディスプレイパネル１８間は、実際には密着に近いが、ここでは作図の都合上、少し空間を設けて描いている）。このように、原稿周辺部に強い影２０を生じ、その結果、得られた原稿画像は、非常に見苦しいものとなってしまう。そこで、本発明における画像処理システムでは、撮影時に、カメラ１自身が内蔵する照明手段を用いると同時に、図７のようにディスプレイパネル１８自身を同時に発光させることで、影を生じさせないようにしている。このようにすることで、影のない原稿画像を取得することが出来る。
以上の説明において、ディスプレイパネル１８の発光については、図７に示すように、全面発光としても良いが、薄紙原稿を用いた場合の裏写り現象対策として、原稿領域を除く領域のみ発光させてもよい。裏写り現象とは、図８に示すような両面原稿５を用いた場合、必要な画像は表（図８における“１”）だけであるにもかかわらず、本来不要な背面側（ディスプレイパネル側）の画像（図８における“０”）が、ディスプレイパネル１８の発光によって写り込む現象である。具体的な撮影手法であるがは、この場合２つのステップに分かれる。第１ステップにて原稿画像を粗く取得し、２値化画像処理にて、原稿領域を抽出し、非原稿領域のみを発光領域とすればいい。認識対象原稿は、用紙マーカーの内部にあり、しかも、サイズ、用紙方向が既知であるので、このような単純な処理で認識可能である。そして第２ステップにて、非原稿領域のみ発光させながら本撮影を行う（図９参照）。このようにして撮影を行うことで、撮影が２ステップに分かれるが、裏写りのない良好な画像を得ることが出来る。
【００１２】
図１０は自動認識モード指定における画像処理の流れを示す図である。この自動認識モードは、定型原稿の位置を自動で認識することである。最初に、操作部経由で出力用紙のサイズを指定する。一例として、Ａ４タテ、１００％を指定した場合のディスプレイ上の様子を図１０（ａ）に示す。図１０（ａ）に示すようにユーザーのセットした原稿５を自動で認識して、認識した結果をマーカー３ａとして表示する（図１０（ｂ））。この場合、原稿５のサイズが既知で、不明であるのは傾き角のみである。従って手法としては、ディスプレイパネル１８上の原稿画像を連続的に（動画にて）監視し、２値化画像処理にて、原稿領域を抽出し、テンプレートとのパターンマッチ（この場合のテンプレート情報は、情報記憶部に内蔵されている）などで、容易に角度を検出可能である。このように原稿を自動で認識するので、原稿は傾いていても構わず、ユーザーの利便性はよりいっそう増すことになる。
【００１３】
図１１はエリア指定モードにおける処理の流れを示す図である。このエリア指定モードは、ディスプレイパネル１８がタッチパネル（ディスプレイパネル１８上に感圧パネルが一体構成されている）を兼ねていて、ディスプレイパネル１８上の圧力を検知できることである。図１１（ａ）のように原稿５をセットした後、原稿５上でユーザーが指などを使って、原稿上で必要な矩形領域を左上から順番に四隅を押さえることで指定する。図１１（ｂ）のように最初に左上（ポイント２４）を押さえ、反時計方向、つまり左下（ポイント２５）、右下（ポイント２６）、右上（ポイント２７）の順番に合計４点を順番に押さえることでエリア指定３ａを行う。押さえた点の直下のディスプレイ上を明るく点灯しても、原稿にさえぎられて見えないことが多いので、図１１（ａ）に示すように、押さえた点と対応する三角形状のマーカー２３を原稿外に表示することで、ユーザーに情報をフィードバックする。このようにして指定した状態を図１１（ｄ）に示す。パネル上の感圧情報は、実際には、適当なｂｉｔ数で量子化されているので、画像処理システム側からは、単なるグレースケール画像と同じように取り扱うことが出来る（例えば、８ｂｉｔ量子化で、２５５階調で感圧を表現したグレースケール画像が得られる）。この感圧画像の例は図１１（ｂ）に示すとおりである。指で押した部分が、黒い円形として得られている。これら各４点の中心を通る矩形３ａを有効なエリアとして採用すればいい。このようにして有効な領域を指定した後に画像の取得を行い、図１１（ｅ）のように取得結果をディスプレイ上に表示する。
このようにして、必要な領域指定を原稿上で直接行えるため、非常に直感的なエリア指定操作が可能になる。また従来の画像形成装置などのように、いったん原稿画像をスキャンして取り込んだ後に、改めてディスプレイ上に表示してエリア指定操作をする必要もないので、操作の短時間化にも効果的に作用する。以上の説明において、エリア指定を指先で行ったが、より正確なエリア指定が行えるよう、ペン形状の物体を使って、ペンタッチにてエリア指定を行っても良い。
【００１４】
図１２は差し込みモード指定における処理の流れを示す図である。この差し込みモードは、用紙マーカーの代わりに、装置内に予め蓄積されている原稿をマーカー代わりに利用することである。図１２（ａ）は、キャプション３ｃと、原稿イメージ２ａと、原稿イメージ内の有効エリアを示すマーカー２８と、ガイダンス文３ｂがシステムからユーザーに表示される。ユーザーは、表示されている原稿イメージ内のマーカー２８内に原稿をセットする。図１２（ｂ）は、有効エリア２８内にカード状の原稿３０と、ペン形状の立体物３１とをセットした状態を示している。ここでキャプチャボタンまたはプリントボタンを押すと、ディスプレイパネル１８上の原稿イメージをいったん消去した上で、撮影を行い（図１２（ｃ））、内部で原稿イメージと撮影イメージと合成を行い情報記憶部にストアし、得られた合成イメージを確認のためユーザに提示する（図１２（ｄ））。
このようにして、差し込み原稿画像をえるので、非常に直感的な操作が可能になる。また従来の画像形成装置などのように、いったん原稿画像をスキャンして取り込んだ後に、改めてディスプレイ上に表示してイメージの合成処理をする必要もないので操作の短時間化にも効果的に作用する。
【図面の簡単な説明】
【００１５】
【図１】本発明の一実施形態に係る画像処理システムの外観斜視図である。
【図２】本発明の画像処理システムの構成を示すブロック図である。
【図３】用紙指定モードにおける画像処理の流れを示すフローチャートである。
【図４】ディスプレイパネルの様子を示す図である。
【図５】変倍モードのときのディスプレイパネルの様子を示す図である。
【図６】ディスプレイパネルを横側から見た断面図である。
【図７】ディスプレイパネル自身を同時に発光させた図である。
【図８】裏写り現象を説明する図である。
【図９】原稿の周縁部を照射するディスプレイパネルを横側から見た断面図である。
【図１０】自動認識モード指定における画像処理の流れを示す図である。
【図１１】エリア指定モードにおける処理の流れを示す図である。
【図１２】差し込みモード指定における処理の流れを示す図である。
【符号の説明】
【００１６】
１  撮像装置、２  ステイ、３  原稿載置台、４操作部、８  Ｉ／Ｏコントローラ、９  給・排紙部、１０  プリントエンジン、１１  ＮＩＣ、１２  エンジンコントローラ、１３内部バス、１４  情報処理部、１５  情報記憶部、１６  制御部、１７  本体筐体部、１８  ディスプレイパネル、１００  画像処理システム
【図１】
2007067966.tif 000003
【図２】
2007067966.tif 000004
【図３】
2007067966.tif 000005
【図４】
2007067966.tif 000006
【図５】
2007067966.tif 000007
【図６】
2007067966.tif 000008
【図７】
2007067966.tif 000009
【図８】
2007067966.tif 000010
【図９】
2007067966.tif 000011
【図１０】
2007067966.tif 000012
【図１１】
2007067966.tif 000013
【図１２】
2007067966.tif 000014